(57)【要約】      （修正有）【課題】カラー印刷物の連続試料上に利用可能な測定パッチを含むカラー測定システム。【解決手段】パッチ２００は、このパッチの中央部に配置された参照領域２０２が付随する第一の予め定められた形状と、パッチ２００の縁に近接して配置された高コントラスト特徴部２０４とを有する。カメラは試料を走査し、高コントラスト特徴部２０４の検出に応じて位置信号を生成し、この位置信号は、測定センサの正確な位置決めを可能とする。【選択図】図５
2005319809.tif 000002
【特許請求の範囲】
【請求項１】
印刷基板が測定ヘッドを通過させられ、この印刷基板は、この印刷基板を横断して配置された複数のカラー測定パッチを有するカラーバーを含み、カラー測定パッチの各々はその中央部上に配置されたカラー参照領域を有するカラー測定システムにおいて、
各々のカラー測定パッチが第一の予め定められた形状を含み、この第一の形状は、その中の前記カラー参照領域と、第一の形状の縁に近接して配置された高コントラスト特徴部とを有し、
第一の予め定められた形状が第一の矩形であり、且つ前記高コントラスト特徴部が、第一の矩形よりも小さい第二の矩形であり、この第二の矩形は、第一の矩形の縁に一致する一つの辺を有すると共に、他の三つの辺は第一の矩形の内側にあることを特徴とするカラー測領システム。
【請求項２】
請求項１記載のカラー測定システムにおいて、前記高コントラスト特徴部が、非印刷領域を含むカラー測定測定システム。
【請求項３】
請求項１記載のカラー測定システムにおいて、前記高コントラスト特徴部が、単独のインクで印刷された領域を含むカラー測定システム。
【請求項４】
請求項１記載のカラー測定システムにおいて、第二の矩形は前記カラー参照領域を浸さないカラー測定システム。
【発明の詳細な説明】
【技術分野】
【０００１】
本発明は、カラー測定システムに関し、更に詳細には、カラー印刷物の移動試料上に使用するためのカラー測定パッチに関し、これはカラー測定システムによる移動パッチの正確な配置を可能とし、記録状態の変化のもとでさえも改良されたデータをもたらすものである。
【技術背景】
【０００２】
ウェブ印刷工程のためのカラー測定システムは公知である。例えば、本願の譲受人であるグラフィックマイクロシステムズ（Graphics Microsystems)は、カラー測定システムおよびインク制御システム（商品名“MICROCOLOR") のための濃度計（商品名“AUTOSMART")を長年に亘って製造販売している。最近では、本譲受人は、カラー制御システム商品名“AUTOCOLOR" として販売される閉ループカラー制御システムにおいてカラー測定を用いている。
【０００３】
現在に至るまで、本譲受人により使用されたカラー測定システムは、印刷シートまたは折り丁が印刷機を離れた後に、これを操作者が測定システムの上へ配置することを要している。特にウェブ印刷機印刷において好適な方法は、印刷機にてカラーを自動的に測定し、操作者の関与する時間を削減し、且つカラー制御システムのための更なる迅速化と頻繁な測定を与えることは良く知られている。
【０００４】
多数の印刷機上カラー測定システムが設計されてきており、これは MacBeth社、Finnish Research Center(現Honeywell system) 社,IGT社その他により製作されたものを含む。これらは全て、主な理由として、移動ウェブまたはシート上の測定パッチの正確な配置が不能となること、即ち、特にウェブ印刷においては許容度を越える大きな測定パッチが要求されることにより、その使用が制約されている。従って、印刷機上の閉ループカラー制御を成功させるためには、小さな測定パッチ、例えば走行方向に２ｍｍ、ウェブ横断方向に４ｍｍの測定パッチが必要である。満足なシステムは、測定のために小さな測定パッチを正確に見出ださねばならず、次いで、位置が測定に使用するために充分に正確であること、即ち測定が達成されることを検証せねばならない。
【０００５】
測定の検証は、満足なカラー制御システムにとっては不可欠である。測定を伴うカラー制御は不正確であり、これは、正確な位置で測定が行われない故に不正確な測定結果を生じるカラー制御は、手動カラー制御に比較して屑(scrap) が減少するよりもむしろ増加してしまうためである。従って、満足なカラー制御システムは、それをカラー制御に使用する前に、測定位置が正確であることを確認せねばならない。
【０００６】
発明の概要
本発明は、カラー印刷された物件の連続ウェブ上に使用可能なパッチを含むカラー測定システムである。パッチは、カラー参照領域が配置された第一の予め規定された形状と、第一形状の縁に近接して配置された高コントラスト特徴部とを有する。好適実施例においては、第一形状は第一の矩形であり、高コントラスト特徴部は、第一の矩形よりも小さな第二の矩形であり、且つそれを通じて露呈する非印刷基板を有する。
【０００７】
ウェブに近接して位置決め手段が設けられており、これはウェブ横断方向でカメラ及び測定ヘッドと共にウェブを横断する。エンコーダーは、ウェブ移動方向におけるウェブの移動に関して位置決め手段へ同期情報を与える。カメラは、パッチの予想されたウェブ横断位置にてウェブを走査し、高コントラスト特徴部の検出に基づいて位置情報を発生し、この情報は位置決め手段へ与えられる。測定センサは、位置決め手段により予め定められた位置においてパッチウェブを走査する。
【０００８】
本発明の特徴と利点のより良い理解は、以下の本発明の詳細な説明と、本発明の原理が使用された例示的な実施例を示す添付図面とを参照して得られるであろう。
【０００９】
本発明の詳細な説明
図１は印刷機上ウェブ印刷工程のカラー測定部を示し、この工程では連続ウェブ１００がウェブ移動方向ＷＭへ移動し、このウェブ移動方向ＷＭはローラー１０４を通る矢印により示されている。本発明について連続ウェブを引用して説明するが、印刷物が移動してカラー測定ヘッドを通過するものであれば、任意の形式のカラー印刷物に適用できることが当業者には明らかである。
【００１０】
ウェブ１００は、インク入れ部（図示せず）からカラー測定部へ通過する非印刷基板として開始される。インク入れ部においては、カラーインク（単色または複数色）が通常の塗布方式、例えばウェブ移動方向に対して垂直（即ちウェブ横断方向ＣＷ）にウェブ１００を横断して配置されたインクキーの列を介して基板に塗布される。インクは、要求される印刷物に応じてウェブ１００の片側または両側に塗布し得る。インクは繰り返しパターンまたは「通し(impressions) 」に塗布され、各々の通しは単独のユニットの仕上げられた印刷物製品を示す。各々の通しの間には、カラーバーが設けられ、ここでは少なくとも一色以上のインクがカラー制御システムのための参照として印刷される。カラー測定部で得られた情報は、印刷品質(quality) の監視および報告のために、またインクキーの調節のためにカラー制御システムに使用し得る。
【００１１】
測定システム１０６は、ローラ１０４ａ近傍のウェブ１００に隣接して位置し、カラー制御システムのプログラムに応じてウェブ１００の片側に印刷されたカラー（一色または多色）を監視する。ウェブ１００の両側が印刷されているならば、ウェブ１００の他方の側に印刷されたカラー（一色または多色）を監視するために第二の測定ユニット１０７を使用し得る。この第二の測定ユニット１０７は、ローラ１０４ｂ近傍のウェブ１００に隣接して配置し得る。重複を避けるために、測定ユニット１０６のみの構造と操作を以下に説明するが、その説明は測定ユニット１０７にも等しく適用されることを理解されたい。
【００１２】
ここで図２を参照すると、測定ユニット１０６は、モータ駆動横断機構１０８に褶動自在に取り付けられているので、印刷機上制御モジュール５０の制御の下に、ウェブ１００を横切る任意の点（ウェブ横断方向ＣＷ）へ駆動することができる。図３に示されるように、測定ユニット１０６は、位置カメラ１１０および測定ヘッド１１２を含み、これらは互いに対して、且つローラ１０４に対して固定された向きに配置されている。当業者には、カメラ１１０及びヘッド１１２は個々に制御可能であることが明らかであろうが、この好適実施例においてはカメラ１１０及びヘッド１１２は共通に制御されている。好ましくは、位置カメラ１１０は測定ヘッド１１２の前方の短い距離位置、例えば、１５０ｍｍローラ上で２５ｍｍの位置に配置される。好ましい位置カメラ１１０は領域カメラ(area camera) 、例えばDalsa 社のモデルCA-D1-0064A であり、これは独立したフラッシュ１１１を使用してウェブの領域、例えば６．４ｍｍ×６．４ｍｍの領域を照明する。照明された領域の画像は捕捉されて処理され、例えばDipix Frame Grabber 社のモデルP360F 及びDell Optiplex 社の４６６コンピュータが経路２００及び特徴部２０４の実際の位置に関する情報をカラー制御・位置決めシステムへ与える。
【００１３】
測定ヘッド１１２は好ましくは分光光度計であり、例えば、フラッシュランプ１１３と、公知の幾何形状で配置されてウェブ１００上の標的を照明し、且つこの標的からの反射光を集光するための光学要素１１２ａと、反射光を解析するための回路またはプロセッサ手段とを有するものである。分光光度計による光の集光と解析のために好ましい良く知られた方法は、コンピュータ解析を伴う分光格子およびセンサの配列の使用である。良く知られた他の方法は、フィルタの使用により、分光応答を与えると共に、炉波された光を個々のフォトセンサにより収集する。勿論、濃度計のような他の形式の測定ヘッドも使用し得る。
【００１４】
図４は本発明に係るカラー制御・位置決めシステムのブロックダイアグラムである。カメラ１１０および測定ヘッド１１２を包含する測定ヘッド１０６は、モータ１１４によりウェブ横断方向ＣＷに位置している。モータ１１４は、パッチ位置プロセッサ１１８による命令に従って駆動される。
【００１５】
パッチ位置プロセッサ１１８は、このプロセッサ１１８の位置制御計画のための位置情報をカメラ１１０から得て、且つ駆動輪エンコーダ１２０からの同期情報を受信する。ここでエンコーダ１２０は、主印刷シリンダ（図示せず）からの同期信号を分配するためのものである。例えば、エンコーダ１２０は、各々の通し一回のパルスの形態の第一の信号に加えて、ウェブ板シリンダ（図示せず）の周囲の位置に直接に関係する様々なパルスの形態の第二の信号を生じる。従って、カメラ１１０が横断した視野は、このような情報に基づいて有利に限定される。当業者には、位置制御計画はマイクロプロセッサ内のソフトウェアにより容易に実行でき、様々な解法が入手可能であることが明らかである。
【００１６】
測定ヘッド１１２は印刷ウェブからのカラー情報を得て、カラープロセッサ１２２へ情報を与える。カラープロセッサ１２２及びパッチ位置プロセッサ１１８は同一のコンピュータとし得るか、或いは共用コンピュータリソースとし得る。本発明の特に好ましい実施例においては、位置プロセッサ１１８により発生した位置情報は、カラープロセッサ１２２により発生したカラー情報と共に使用され、測定位置の精度に基づいたカラー品質(quality) を保証する。カラー測定及び位置情報は印刷機上モジュール５０から交信リンク５６を介して操作者ステーション５４へ送り戻す。
【００１７】
仕事説明情報、例えばカラーバーの配置、なされるべき測定、および測定の頻度などは、操作者ステーション５４から交信リンク５６を介して印刷機上モジュール５０へ送信される。操作者ステーション５４は適切なハードウェアを含み、これは、操作者卓５８のところの操作者へ結果を報告し、品質(quality) 保証およびホストコンピュータ６０内の管理報告のためのデータを記憶し、且つインク制御卓６２を通じてカラーを制御する
本発明によれば、通しの間に複数の測定パッチが印刷され、カラーバーを形成する。測定パッチ２００の好ましい実施例が図５に示されている。ここに説明された測定パッチ２００は、印刷された素材（図示せず）のウェブ上の２ｍｍカラーバーに使用するのに適しているが、当業者には、本発明の目的から逸脱することなく、印刷された素材、そのカラー参照領域およびカラーバーの配置の適切な変形を成し得ることが明らかである。
【００１８】
測定パッチ２００は好ましくは、横Ｌ１が４．２ｍｍで縦Ｈ１が２ｍｍの矩形状部分である。対象測定領域（参照領域）２０２はパッチの中央部に位置しており、点線輪郭で示されるように、横Ｌ２が２．５ｍｍで縦Ｈ２が１．５ｍｍである。測定領域２０２を規定する点線輪郭はパッチ２００の部分ではなく、単にこの説明を容易にするために加えられている。測定領域２０２内でカラー測定をなすことは好適で望ましいことであり、測定対象はしばしばパッチの中心にくる。パッチ２００は一般に一色以上の参照カラーを含み、これは以下により完全に説明するように、カラー測定および制御システムにより利用するためのものである。
【００１９】
高コントラストで、容易に識別可能な特徴部２０４は、パッチ２００の一縁に位置している。本実施例においては、特徴部２０４は単純な矩形状の非印刷領域であり、横Ｌ３が約１．０ｍｍで縦Ｈ３が約０．８ｍｍである。特徴部２０４は、縁２０４ａ，２０４ｂ及び２０４ｃを有し、これらはカメラ１１０及びプロセッサ１１８により捕捉されてディジタル化された画像内で容易に識別可能である。従って特徴部２０４は、最大の可能な測定領域２０２を許容するように、且つ同時に、最大の可能な誤記録(misregister) の状態の下でも配置可能なように、位置決め及び寸法決めすることができる。これらの目的は、図示のように矩形状非印刷領域を与えることにより達成される。しかしながら、当業者には他の実施例も可能であることが明らかである。例えば、重ね刷り領域において、トラップの測定のための一種類のみのインクにより規定された特徴部２０４を持たせるのは望ましいことであろう。他方、誤記録は、縁２０４ａ，２０４ｂ及び２０４ｃの検出に影響することがある。パッチの長さＬ１は、特徴部２０４のおおよその長さＬ３だけ短縮することができる。最も重要な要請は、高いコントラストを有し、パッチの縁上またはその近傍に、且つ容易に識別可能な特徴部２０４を、パッチのウェブ移動方向ＷＭにおいて概ね中心に位置させることである。特徴部２０４は、パッチ２００の測定領域２０２または隣接するパッチ１９９及び２０１（図６に示す）の測定領域と干渉してはならないことは勿論である。
【００２０】
従って測定パッチ２００の好適な形態は、大きな矩形であって、しかもこの大きな矩形の外側へ食い込んだ小さな非印刷矩形を有するものである。小さな非印刷矩形は典型的には、パッチ自身により限定された三つの辺２４０ａ，２４０ｂ，２４０ｃを有し、第四の辺２０４ｄは他のパッチにより限定される。しかしながら、第四の辺２０４ｄは時には開放されることがあるが、これは例えば第四の辺２０４ｄに続くパッチが存在しないか、或いは誤記録に起因して、隣接するパッチが上に重なるよりもむしろ下に重なる場合である。
【００２１】
非印刷矩形１４の縦Ｈ３は、誤記録によっても変化しないので、記録状態の広い変化の下で、ウェブ搬送方向Ｙにおける測定領域１２の中心に位置させるのが良い。測定領域２０２に対する非印刷矩形２０４の縁２０４ｂの位置は、誤記録によっても変化しないので、誤記録状態の広い変化の下で、ウェブ横断方向ＣＷにおける測定領域２０２の中心を捜すための便利な参照特徴となる。その上、縁２０４ａ及び２０４ｃは、ウェブ移動方向ＷＭにおける測定領域２０２の中心を決定するための迅速且つ容易な参照を与える。従って、好適な制御計画においては、縁２０４ａ，２０４ｂ及び２０４ｃは第一の処理段階においては、標的測定点を迅速に捜すために使用され、次いで第二の処理段階においては、その位置の精度の評価に使用されるので、その位置でなされた測定の品質を知ることができる。
【００２２】
前述したように、測定パッチ２００は典型的には、多数の同様な測定パッチ１９９，２０１，その他を含むカラーバー内に配置される。好適実施例においては、パッチ１９９，２００，２０１，その他は、ウェブ横断方向ＣＷにおいて４ｍｍ中心であり、ウェブ移動方向ＷＭにおいて２ｍｍのカラーバーを形成し、公称量にあるときに、最小距離、例えば０．２ｍｍだけ互いに重なり合う。
【００２３】
測定パッチの公称位置を越えるウェブ移動方向ＷＭにおけるカラーバーに隣接する他の知られていない印刷物（図示せず）もあり得る。従って、測定パッチがウェブ移動方向ＷＭにおける誤記録である際には、ウェブ横断方向ＣＷにおける他のパッチとの重なりに加えて、他の未知の印刷物との重なりもあり得る。ウェブ横断方向ＣＷにおけるパッチの公称重なり量は、中央測定領域２０２との相当な干渉を伴わずに誤記録の変化の下で、非印刷矩形２０４を発見することを容易にする。従って、カラー測定パッチ２０４の独創的な形態は、他のパッチまたは未知の印刷物との重なりをもたらす誤記録状態の変化の下でさえも、容易に識別可能な特徴部を与える。
【００２４】
誤記録状態の変化の下で独創的な特徴部２０４を捜し出す能力はまた、パッチ２００がインク制御およびカラー品質報告のためのカラー測定領域を与えるのに加えて、パッチ２００を記録制御システムのための指標またはフディシアリィ(fudiciary) マークとして機能させる。
【００２５】
良く知られているように、カラーバー領域上またはその近傍に少なくとも一つのフディシアリィマークを設け得る。このようなマークは、典型的にはカラー測定及び位置決めシステムの初期同期を与えるために使用される。
【００２６】
初期同期は、第一のフディシアリィマークを検索し、それが見つかったときのエンコーダのカウント数を記憶することにより達成される。操作者は第一のフディシアリィマークの概略的な場所を指定するが、これは例えばマークに沿ったインクキーの番号の指定による。フディシアリィマークは典型的には、バーの前に最小５ｍｍ、バーの後に２ｍｍの空白部を有するカラーバーと同じ高さの印刷バーである。マークの捜し当ては、ヘッドをウェブ横断方向ＣＷへ移動させながら、ウェブ移動方向ＷＭにおける連続探索を必要とし、この連続探索は、操作者が指定した概略的な場所（例えばマークに沿ったインクキーの番号による場所）に基づいて、マークの位置が予想される範囲に亘ってなされる。仮に誤ったマークが予想されるなら、第一のマークは、カラーバー内における近くの第二のフディシアリィマークにより照合することができる。第二のフディシアリィマークが見つからなければ、第一のフディシアリィマークは無効の印が付けられ、他のマークについての検索は、一つのマークが発見されて第二のマークにより確認されるまで連続する。
【００２７】
フディシアリィマークは好ましくはカメラ１１０により検出されるが、付加的な検出器も使用し得る。カメラ及びカメラ照明は、フラッシュランプを有する領域カメラ、或いは連続光源を有する線形走査カメラとすることができる。
【００２８】
ひとたび初期同期が確認されると、エンコーダ計数は今後のアラインメントフラッシュと、他のパッチが整合するウェブ横断位置は、先行する通しからからの画像解析に基づく光学的アラインメントシステムにより各々の通しについて調整される。
【００２９】
好適なカラー測定および位置決めシステムは、連続ウェブが測定ユニット１０６を通過するとき、予め定められたパターンに応じた通しの間のカラーバー内で測定をなす。例えば、測定ユニット１０６は、第一のパッチ１９９に対応するウェブ横断方向ＣＷにおける予想されたアラインメント位置へ駆動し得る。ウェブ１００が、エンコーダ情報に基づいて、ウェブ移動方向ＷＭにおける予想されたアラインメント位置へ移動した際、アラインメント（カメラ）フラッシュがなされる。パッチ位置プロセッサ１１８は、実際のアラインメント位置、即ち、パッチの画像に関するカメラ配列の中心点を予想されたアラインメント位置と比較し、エンコーダ情報と、測定フラッシュが起動される瞬間に測定ヘッド１１２がウェブ移動方向ＷＭにおいてカメラ１１０の後ろの既知の距離にあるという事実とに基づいて解析する。ウェブ横断方向ＣＷにおいて軽微な整合が必要ならば、それは、測定フラッシュが起動される前に実際のアラインメント位置に基づいてなせる。カラーバーにおけるパッチの既知の相対位置と組み合わせられた実際の位置は次いで、測定されるべき次のパッチ２００についての予想される位置を解析するために使用され、このような処理が反復される。実際の位置の決定は、既に述べたようにディジタルカメラ画像内で特徴部２０４の縁を発見することによりなされる。測定ヘッド孔の中心がカメラ配列の中心点に対して既知であるので、ひとたび実際のアラインメント位置が決定されると、実際の測定位置は非常に正確に決定され得る。
【００３０】
通しと通しとの間のアラインメント標的位置の変動は、測定ユニット１０６についての必要な検索範囲を決定する。検索は、駆動軸エンコーダ計数と組み合わせられた先行する通しにおいて隣接する或いは殆ど隣接するパッチに基づいてなされる。ウェブ移動方向ＷＭにおける変動は、例えば基板伸長とエンコーダ変化に起因して生じ得る。ウェブ横断方向ＣＷにおける変動は、例えばウェブの波打ちとウェブ収縮に起因して生じ得る。
【００３１】
この好適な構成には様々な利点がある。測定されるべきパッチにアラインメント情報が与えられており、且つアラインメント情報が測定位置にとても接しているので、位置の変化は殆ど完全に画像捕捉および処理機器に起因する。また別個の位置カメラ及び測定ヘッドを有することは、アラインメントと測定との双方について最適化されたシステムを可能とする。
【００３２】
代替的な構成は、線形走査カメラ及び連続光源を採用する。例えば、画像捕捉および処理のために、Dalsa 社のカメラのモデルＣＬ−Ｃ３−０１２８ＡをDipix Frame Grabber 社のモデルＰ３６０ＤＦ、線形速度パルスを与える回路およびコンピュータと共に使用できる。光源はタングステンハロゲンランプとすることができ、これはキセノンフラッシュランプよりも低コストである。
【００３３】
他の構成においては、領域カメラ１１０は測定ヘッド１１２と同一のフラッシュを使用する。測定光学系とカメラ光学系とは同一の測定パッチを同時に視る。照明は単独のフラッシュによる。フラッシュはエンコーダと先行する通しからの情報によってのみ決定されるので、フラッシュタイミングは、カメラが測定位置の直前にあるときには含まれないであろう何らかの通し毎の変化を含む。しかしながら、仮にフラッシュが不正確ならば、これは知られるものとなり、測定を放棄できる。この構成においては、カメラはDalsa 社のモデルＣＡ−Ｄ１−００６４Ａとすることができ、画像取り込み及び処理ハードウェアはDipix Frame Grabber 社のモデルＰ３６０ＤＦ及びコンピュータとすることができる。本実施例は、測定とアラインメントとの双方について必要なフラッシュランプ及び電源は一つのみであるという利点を有する。
【００３４】
全ての実施例におけるウェブ横断位置のために、測定されるパッチの実際の位置と予想された位置との間の差異は、測定されるべき後続のパッチについての予想された標的位置を調整するためのエラー信号として、ウェブ横断位置決め機構へフィードバックされる。
【００３５】
従って本発明は独創的なカラー測定パッチを提供することが明らかであり、このパッチは、ウェブ移動方向におけるパッチの一側または両側における未知の印刷物（例えば、断ち切り(bleed) ）においてさえも、またカラーの誤記録の量の変動においてさえも、高コントラストで容易に識別可能な特徴部を与える。また、このような状態のもとでも、パッチは、その測定領域の中心の容易且つ正確な選定をも可能とし、これは、記録確認のために、またはカラー記録を制御するシステムにおいてカラー記録マークとして有利に使用することを可能とする。更にパッチは、測定後に、測定パッチ上の測定の場所を有効とするのに充分に正確であるか否かを確認する方法をも与える。
【００３６】
本発明は、上記に説明された実施例の仕様により限定されるべく意図されたものではなく、むしろ添付の請求の範囲により規定されることは明らかである。
【図面の簡単な説明】
【００３７】
【図１】図１はウェブ印刷装置上のカラー測定部分を模式的に示す図である。
【図２】図２はウェブを検査する横断機構に装着された状態を示す測定ユニットの模式図である。
【図３】図３は本発明に係る好適な測定ユニットの一層詳細な図である。
【図４】図４はカラー測定システムのブロックダイアグラムである。
【図５】図５は本発明の好適実施例に係るカラー測定パッチの平面図である。
【図６】図６は幾つかの近接するカラーパッチの重なりを示す平面図である。
【符号の説明】
【００３８】
１０６  カラー測定システム対象
１１２  測定ヘッド
２００  カラー測定パッチ
２０２  参照領域
２０４  高コントラスト特徴部
【図１】
2005319809.tif 000003
【図２】
2005319809.tif 000004
【図３】
2005319809.tif 000005
【図４】
2005319809.tif 000006
【図５】
2005319809.tif 000007
【図６】
2005319809.tif 000008